(57)【要約】【課題】  本発明では通信装置において把握された接続情報を効率よくサービス提供者に通知することを目的とする。【解決手段】  Ｇ３−ＦＡＸ端末２や電話端末３等のアナログ通信端末を収容してＩＰネットワーク４に接続するＶｏＩＰ装置１であって、アナログ通信端末の接続の有無及びその種別を確認する接続確認手段と、接続の有無のうち少なくとも接続の有及びその種別の情報をＩＰネットワーク４に接続されるサービス提供システム５の通信装置に通知する通知手段とを備えることを特徴とする。【選択図】  図１
2006108770.tif 000002
【特許請求の範囲】
【請求項１】
アナログ通信端末を収容して通信網に接続する通信装置であって、
前記アナログ通信端末の接続の有無及びその種別を確認する接続確認手段と、
前記接続の有無のうち少なくとも接続の有及びその種別の情報を前記通信網に接続される当該通信装置以外の通信装置に通知する通知手段とを備えること
を特徴とする通信装置。
【請求項２】
請求項１記載の通信装置であって、
前記接続確認手段によって確認された前記接続の有無のうち少なくとも接続の有及びその種別の情報を当該通信装置内部の記憶部に登録する登録手段とを備え、
前記通知手段は、前記登録手段に登録された前記接続の有無のうち少なくとも接続の有及びその種別の情報を前記通信網に接続される当該通信装置以外の通信装置に通知すること
を特徴とする通信装置。
【請求項３】
請求項１又は２記載の通信装置であって、
前記接続確認手段は、アナログポートに前記アナログ通信端末の接続の有無及びその種別を確認する接続確認信号を送信し、前記接続確認信号に対して前記アナログ通信端末から接続されていること及びその種別を通知する接続告知信号を受信することにより、前記接続の有無及びその種別を確認すること
を特徴とする通信装置。
【請求項４】
請求項１又は２記載の通信装置であって、
前記接続確認手段は、アナログポートに前記アナログ通信端末の接続の有無及びその種別を確認する接続確認信号を送信し、前記接続確認信号に対して前記アナログ通信端末から接続されていること及びその種別を通知する接続告知信号の有無により、前記接続の有無及びその種別を確認すること
を特徴とする通信装置。
【請求項５】
請求項３又は４記載の通信装置であって、
前記接続確認手段は、定期的に前記接続確認信号を送信し、前記通知手段は、定期的に前記接続の有無のうち少なくとも接続の有及びその種別の情報を通知すること
を特徴とする通信装置。
【請求項６】
通信網と、アナログ通信端末と、前記アナログ通信端末を収容して前記通信網に接続する第１の通信装置と、前記第１の通信装置と前記通信網を介して通信を行う第２の通信装置とを備える通信ネットワークシステムであって、
前記第１の通信装置は、前記アナログ通信端末の接続の有無及びその種別を確認する接続確認手段と、前記接続の有無のうち少なくとも接続の有及びその種別の情報を前記第２の通信装置に通知する通知手段とを有し、
前記第２の通信装置は前記接続の有無のうち少なくとも接続の有及びその種別の情報を表示部に表示させること
を特徴とする通信ネットワークシステム。
【発明の詳細な説明】
【技術分野】
【０００１】
この発明はＶｏＩＰ（Voice over Internet Protocol）装置などの配下に接続されているアナログの電話端末やＦＡＸ端末などのアナログ通信端末の自動認識機能を有する通信装置及び通信ネットワークシステムに関するものである。
【背景技術】
【０００２】
従来、一般的な公衆網の構成によって、サービス提供者が情報配信事業を行う場合、ＦＡＸ固定回線への配信またはユーザ側のＧ３−ＦＡＸ端末からのアクセスにより情報配信サービスを行うことが可能であった。
しかし、従来の構成では電話機やＦＡＸ端末が接続された回線が混在している。このためサービスが提供者からは、どの回線にＦＡＸ端末がつながっているか判別することが困難であり、ユーザ側のＧ３−ＦＡＸ端末からサービス提供者に配信希望の依頼をしなければ情報入手が困難であるという問題があった。
【０００３】
また、下記特許文献「特開２０００−５９５６２号公報」や「特開２００２−８４５５９号公報」にはアナログ端末を収容する通信装置において、各接続端子にどのようなアナログ通信端末が接続されているのかの把握を自動的に行うことができる通信装置が開示されている。
【特許文献１】特開２０００−５９５６２号公報
【特許文献２】特開２００２−８４５５９号公報
【発明の開示】
【発明が解決しようとする課題】
【０００４】
しかしながら、前述した２つの特許文献に記載される通信装置では、各接続端子にどのようなアナログ通信端末が接続されているかの接続情報の把握を自動的に行うことができるが、その把握された接続情報を効率よくサービス提供者に通知する手段がなかった。
よって、本発明では通信装置において把握された接続情報を効率よくサービス提供者に通知することを目的とする。
【課題を解決するための手段】
【０００５】
かかる課題を解決するため、本発明による通信装置は、アナログ通信端末を収容して通信網に接続する通信装置であって、アナログ通信端末の接続の有無及びその種別を確認する接続確認手段と、接続の有無のうち少なくとも接続の有及びその種別の情報を通信網に接続される当該通信装置以外の通信装置に通知する通知手段とを備えることを特徴とする。
【０００６】
また、本発明による通信ネットワークシステムは、通信網と、アナログ通信端末と、アナログ通信端末を収容して通信網に接続する第１の通信装置と、第１の通信装置と通信網を介して通信を行う第２の通信装置とを備える通信ネットワークシステムであって、第１の通信装置は、アナログ通信端末の接続の有無及びその種別を確認する接続確認手段と、接続の有無のうち少なくとも接続の有及びその種別の情報を第２の通信装置に通知する通知手段とを有し、第２の通信装置は接続の有無のうち少なくとも接続の有及びその種別の情報を表示部に表示させることを特徴とする。
【発明の効果】
【０００７】
発明の効果として、本発明の通信装置及び通信ネットワークシステムによれば、通信装置であるＶｏＩＰ装置配下のアナログ通信端末の有無が確認でき、その確認できた情報をＶｏＩＰ装置に登録し、この登録された情報をサービス提供者が参照することによりＩＰネットワーク上のアナログ通信端末の有無を的確に識別でき電話通信及びＦＡＸ通信が可能となる。これにより、通信前に通信相手のアナログ通信端末が接続されていることが分かるので電話通信及びＦＡＸ通信を確実に行うことが容易に実現できる。
【発明を実施するための最良の形態】
【０００８】
本発明による通信装置の実施例は、添付図面を参照して詳細に説明される。
【実施例１】
【０００９】
以下、本発明による通信装置の実施例１は、図１及び図２を用いて説明される。図１は本発明の実施形態のネットワーク構成を示すネットワーク図である。図２は本発明のＶｏＩＰ装置１とアナログ通信端末間の接続動作を示すシーケンス図である。
【００１０】
まず図１を用いて、本発明による実施例１の通信装置のネットワークへの適用例が説明される。また、本発明による通信装置はアナログ通信端末を収容して通信網に接続する通信装置であればよいが、ＶｏＩＰ装置１を例にして説明される。
【００１１】
図１において、ＶｏＩＰ装置１は、Ｇ３−ＦＡＸ端末２及び電話端末３が接続されている。またＶｏＩＰ装置１は、ＩＰネットワーク４に接続されている。さらＦＡＸ通信等により情報配信を行うサービス提供者が操作する通信端末等を有するサービス提供システム５がＩＰネットワークに接続されている。そして、ＶｏＩＰ装置１とサービス提供システム５の通信端末との呼制御情報を管理する呼制御サーバ６がＩＰネットワーク４に接続されている。
【００１２】
ＶｏＩＰ装置１は、Ｇ３−ＦＡＸ端末２及び電話端末３等のアナログ通信端末とＩＰネットワークをつなぐ装置であり、アナログ通信端末の呼制御や通信制御を行い、音声データやＦＡＸデータをＩＰパケットに格納して伝送する等の一般的なＶｏＩＰアダプタの機能を有する。そして、ＶｏＩＰ装置１は、Ｇ３−ＦＡＸ端末２及び電話端末３の呼制御、通信プロトコルを終端すること、あるいは通信信号を確認することにより、ＶｏＩＰ装置１配下のＧ３−ＦＡＸ端末２及び電話端末３の接続の有無及びその種別の情報等の接続情報を確認する機能を有する。さらに、ＶｏＩＰ装置１は、記憶部を有し、その確認したＧ３−ＦＡＸ端末２及び電話端末３の接続の有無及びその種別の情報等の接続情報を記憶部に登録する機能を有する。また、ＶｏＩＰ装置１は、その登録されたＧ３−ＦＡＸ端末２及び電話端末３の接続の有無及びその種別の情報等の接続情報をサービス提供者が操作する通信端末等を有するサービス提供システム５に通知する機能を有する。
【００１３】
ＶｏＩＰ装置１配下のＧ３−ＦＡＸ端末２及び電話端末３の接続の有無及びその種別の情報等の接続情報を確認する機能については、特開２００２−８４５５９号公報に記載されているように、ＶｏＩＰ装置１はアナログポートにアナログ通信端末の接続の有無及びその種別を確認する接続確認信号を送信し、その接続確認信号に対してアナログ通信端末から接続されていること及びその種別を通知する接続告知信号を受信すること、あるいは接続告知信号の有無により、接続の有無及びその種別を確認することが可能である。
【００１４】
ＶｏＩＰ装置１は、通信接続時に関係なく、定期的に、擬似的に呼出信号を生成して送信し、オフフック信号の受信の有無により、ＶｏＩＰ装置１のアナログポートにアナログ通信端末が接続されているか否かを確認し、オフフック信号を受信した場合には、アナログ通信端末に接続確認信号を送信し、その接続確認信号に対してアナログ通信端末からその種別を通知する接続告知信号を受信することにより、接続の有無及びその種別を確認して、記憶部に登録し、予め記憶部に該当するアナログ通信端末の接続情報が登録されていた場合は接続情報を更新する。また、ＶｏＩＰ装置１の記憶部には、接続があるアナログ通信端末のみの接続情報を登録してもよい。
【００１５】
Ｇ３−ＦＡＸ端末２はアナログ電話回線用のＦＡＸ端末であり、電話端末３はアナログ電話回線用の電話端末である。例えば、サービス提供システム５は、ブロードバンドルータを介して、ＩＰ−ＦＡＸ、ＩＰ電話機、ＰＣ等のコンピュータ及びディスプレイ等から構成される。
【００１６】
サーバ提供システム５や呼制御サーバ６にデータベースを備えるようにして、ＶｏＩＰ装置１は、確認したＧ３−ＦＡＸ端末２及び電話端末３の接続の有無及びその種別の情報をサービス提供システムや呼制御サーバ６に通知して、データベースに登録させるようにしてもよい。このとき、ＶｏＩＰ装置１は、確認されたアナログ通信端末の接続の有無及びその種別の情報を定期的にそのデータベースに登録させ、予めデータベースに該当するアナログ通信端末の接続情報が登録されていた場合は接続情報を更新する。
【００１７】
また、ＶｏＩＰ装置１の記憶部や、サービス提供システム５や呼制御サーバ６のデータベースには、接続情報としてＧ３−ＦＡＸ端末２及び電話端末３の接続の有無及びその種別の情報だけでなく、電話番号やＦＡＸ番号や、宛先名などを登録させるとよい。
【００１８】
サーバ提供システム５から、Ｇ３−ＦＡＸ端末２又は電話端末３に対して電話通信又はＦＡＸ通信を行う場合に、サーバ提供システム５のＰＣ等のコンピュータによって、ＶｏＩＰ装置１やサービス提供システム５や呼制御サーバ６のデータベースの接続情報を読み出し、ディスプレイ等の表示手段に電話番号又はＦＡＸ番号、アナログ通信端末の種別（Ｇ３−ＦＡＸ端末２又は電話端末３）、アナログ通信端末の接続の有無を表示させる。また、サーバ提供システム５のＰＣ等にキーボード等の入力手段があれば、接続情報に宛先名などを入力して登録させ、表示させることが可能である。さらにサーバ提供システム５のＰＣ等のコンピュータによって、ＶｏＩＰ装置１やサービス提供システム５や呼制御サーバ６のデータベースの接続情報を読み出す際には、接続の有無が「有」のアナログ通信端末についての接続情報のみ表示させるようにしてもよい。そのようにすることによって、接続されておらず通信ができないアナログ通信端末については、表示されない。
【００１９】
この登録されたＧ３−ＦＡＸ端末２及び電話端末３の接続の有無及びその種別等の接続情報をサービス提供者がサービス提供システム５において参照することによりＶｏＩＰ装置１配下のＧ３−ＦＡＸ端末２及び電話端末３の接続の有無及びその種別を的確に識別でき、ＦＡＸ通信及び電話通信が可能となる。また、定期的に接続情報を更新し、接続されているアナログ通信端末の接続情報を表示させることによって、通信可能なアナログ通信端末を知ることができる。
【００２０】
次に、ＶｏＩＰ装置とアナログ通信端末間の接続動作が説明される。図２を用いて、ＶｏＩＰ装置１とアナログ通信端末（Ｇ３−ＦＡＸ端末２又は電話端末３）間の接続動作が説明される。
【００２１】
ＶｏＩＰ装置１とアナログ通信端末間の接続動作が以下に説明される。まず、サービス提供システム５からＩＰ電話機又はＩＰ−ＦＡＸによりＶｏＩＰ装置１配下のＧ３−ＦＡＸ端末２又は電話端末３に対して、通信接続が行われる。サービス提供システム５のＩＰ電話機又はＩＰ−ＦＡＸとＶｏＩＰ装置１とが呼制御サーバ６を介して接続される。
【００２２】
その後、図２において、Ｓ１に示されるようにＶｏＩＰ装置１がアナログ通信端末に対して呼出信号を送信する。呼出信号を受信したアナログ通信端末は、Ｓ２に示されるようにＶｏＩＰ装置１に対してオフフック信号を送信する。オフフック信号を受信したＶｏＩＰ装置１は、Ｓ３に示されるようにアナログ通信端末に対して接続確認信号を送信する。接続確認信号を受信したアナログ通信端末は、Ｓ４に示されるようにＶｏＩＰ装置１に対して接続告知信号を送信する。接続告知信号は、アナログポートに接続されているアナログ通信端末がＧ３−ＦＡＸ端末２であるか電話端末３であるかを識別できる信号であればよい。ＶｏＩＰ装置１はこの接続告知信号を受信することによって、ＶｏＩＰ装置１のどのアナログポートにＧ３−ＦＡＸ端末２が接続されているかを認識できる。そしてＶｏＩＰ装置１は、Ｇ３−ＦＡＸ端末２の接続の有無の情報をＶｏＩＰ装置１の記憶部に登録する。
【００２３】
例えば、ＶｏＩＰ装置１に接続されているアナログ通信端末がＧ３−ＦＡＸ端末２であれば、接続確認信号としてＣＮＧ（コーリングトーン）信号を受信すると、Ｇ３−ＦＡＸ端末２は接続告知信号としてＣＥＤ（被呼端末識別）信号を送信する。また、アナログ通信端末が電話端末３であれば、接続確認信号としてＣＮＧ信号を受信しても、接続告知信号としてＣＥＤ信号を送信しないため、ＶｏＩＰ装置１がＣＮＧ信号を送信後、電話端末３からＣＥＤ信号の受信が所定時間ない場合はタイムアウトを検出することにより、アナログポートに接続されているアナログ通信端末が電話端末３であることを確認できる。
【００２４】
通信接続を終了する場合には、Ｓ５に示されるようにＶｏＩＰ装置１がアナログ通信端末に対して切断命令信号を送信する。切断命令信号を受信したアナログ通信端末は、Ｓ６に示されるようにＶｏＩＰ装置に対して切断信号を送信する。これによってＶｏＩＰ装置１とアナログ通信端末間の通信接続が終了する。
【００２５】
通信接続が終了した後、ＶｏＩＰ装置１は、定期的に、図２に示されるＳ１呼出信号の送信からＳ４接続告知信号の受信を行うにより、接続情報を更新する。
また、接続情報をサービス提供システム５又は呼制御サーバ６が備えるデータベースに登録する場合には、定期的に接続情報をサービス提供システム５又は呼制御サーバ６に通知する。
【００２６】
サービス提供システム５において、ＰＣ等のコンピュータからＶｏＩＰ装置１に対して、接続情報の参照要求を行う。そして、参照要求を受信したＶｏＩＰ装置１は接続情報をサービス提供システム５のＰＣ等のコンピュータに通知し、ディスプレイ等の表示手段に接続情報として、電話番号又はＦＡＸ番号、Ｇ３−ＦＡＸ端末２なのか電話端末３なのかを示す種別情報、接続の有無を表示させる。また、表示手段に接続情報を表示させるときには、接続の有無を表示させず、接続がされているアナログ通信端末のみの接続情報を表示させると便利である。
【００２７】
サービス提供システム５では、操作者が表示手段の接続情報を参照することによって、確実に接続されているアナログ通信端末が認識できるので、電話通信及びＦＡＸ通信が確実に行うことができる。
【図面の簡単な説明】
【００２８】
【図１】本発明の実施形態のネットワーク構成を示すネットワーク図
【図２】本発明のＶｏＩＰ装置とアナログ通信端末間の接続動作を示すシーケンス図
【符号の説明】
【００２９】
１…ＶｏＩＰ装置、２…Ｇ３−ＦＡＸ端末、３…電話端末、４…ＩＰネットワーク、５…サービス提供システム、６…呼制御サーバ
【図１】
2006108770.tif 000003
【図２】
2006108770.tif 000004